(57)【要約】      （修正有）【課題】  ボトル胴部の平側壁面と角部壁面が交差する稜線上に縦リブを配設して、角部を補強し、壁面の復元性を向上させた薄肉の合成樹脂製ボトルを提供する。【解決手段】  多面体角形ボトルとして、口部と肩部、胴部とを具えた薄肉の合成樹脂製ボトルであって、胴部が、平側壁面と角部壁面とを具え、平側壁面と角部壁面が交差する稜線上に、縦リブを配設したことを特徴とする。【選択図】図１
2006327677.tif 000002
【特許請求の範囲】
【請求項１】
口部と肩部、胴部とを具えた薄肉の合成樹脂製ボトルであって、
胴部が、平側壁面と角部壁面とを具え、
平側壁面と角部壁面が交差する稜線上に、縦リブを配設したことを特徴とする多面体角形ボトル。
【請求項２】
口部と肩部、胴部とを具えた薄肉の合成樹脂製ボトルであって、
胴部が、円弧壁面と、円弧壁面の両側縁に連設された傾斜壁と、隣合う傾斜壁によって連設された円弧状減圧吸収パネルとを具え、
円弧壁面と傾斜壁とが交差する稜線上に、縦リブを配設したことを特徴とする円形ボトル。
【発明の詳細な説明】
【技術分野】
【０００１】
合成樹脂製ボトル、とくにＰＥＴ樹脂等により２軸延伸ブロー成形された肉薄のボトルに関するものである。
【背景技術】
【０００２】
２軸延伸ブロー成形により成形され、角部を面取りした四角体の薄肉のボトルにおいて、胴部が、上部胴部と下部胴部とからなり、上下胴部がそれぞれ減圧吸収パネルを設けた平側壁面と角部壁面とから構成され、ボトルの柱部を形成する角部壁面を強化するため、角部壁面に、細巾の中央部底面と、該底面と角部壁面の両側縁を結ぶ傾斜壁とによって、縦方向に延びる凹部を形成し、ボトルの角部壁面を強化した四面体ボトルは、従来より知られている（例えば、特許文献１参照）。
【特許文献１】特開２００２−３２６６１９号公報
【発明の開示】
【発明が解決しようとする課題】
【０００３】
しかしながら、上記特許文献１記載のボトルでは、角部壁面が縦方向に延びる凹部によって補強されているが、搬送ラインや輸送中においてボトル同士が接触し、角部壁面、特に、角部壁面と平側壁面が交差する稜線が衝突することによって、稜線部分が変形し、凹部や折れ目が形成されるという問題が生じるおそれがあった。
【０００４】
本発明は、上記の問題を解決することを課題とし、ボトル胴部の平側壁面と角部壁面が交差する稜線上に縦リブを配設して、角部を補強し、壁面の復元性を向上させた薄肉の合成樹脂製ボトルを提供することを目的とする。
【課題を解決するための手段】
【０００５】
本発明は、前記問題を解決するために、多面体角形ボトルとして、口部と肩部、胴部とを具えた薄肉の合成樹脂製ボトルであって、胴部が、平側壁面と角部壁面とを具え、平側壁面と角部壁面が交差する稜線上に、縦リブを配設したことを特徴とする構成を採用する。
【０００６】
円形ボトルとして、口部と肩部、胴部とを具えた薄肉の合成樹脂製ボトルであって、胴部が、円弧壁面と、円弧壁面の両側縁に連設された傾斜壁と、隣合う傾斜壁によって連設された円弧状減圧吸収パネルとを具え、円弧壁面と傾斜壁とが交差する稜線上に、縦リブを配設したことを特徴とする構成を採用する。
【発明の効果】
【０００７】
ボトルの柱部を形成する角部壁面と胴部壁面が交差する稜線上に縦リブを配設したので、胴部が補強されてボトルの座屈強度が高められ、ボトル胴部の肉厚をより一層薄肉にすることができた。
【０００８】
また、交差部の稜線が強化され、壁面の復元性が向上されるので、搬送ラインや輸送中におけるボトル相互の衝突による角部の変形を阻止することができ、さらに、従来形状に見られた弾性限界を超え、壁面に凹部、折目が付けられるような変形も、縦リブの復元により壁面が変形前の状態に戻され、ボトル自体の外観が変らないようになった。
【発明を実施するための最良の形態】
【０００９】
次に、本発明の合成樹脂製ボトルについて、実施例をあげ、図面を参照して説明する。
【実施例１】
【００１０】
図１〜４において、Ａは薄肉の四面体の角形ボトルであり、角形ボトルＡは、口部１と肩部２、上部胴部３ａ、下部胴部３ｂ、ウエスト部３ｃとからなる胴部３、および底部４とから構成されており、ＰＥ、ＰＥＴ樹脂等を素材樹脂として２軸延伸ブロー成形されている。
【００１１】
口部１の外周には、ねじと係合突条が設けられ、その下方には、截頭多角錐形状をした肩部２が続いている。
肩部２と胴部３の横断面形状は、角部を面取りした四角形となっており、肩部２の平側壁面５には、段差６が設けられ、角部壁面７には、三角形状の凹部８が設けられている。
【００１２】
上部胴部３ａ、および下部胴部３ｂは、それぞれ減圧吸収パネル９ａ、９ｂを配設した平側壁面１０、１１と、面取りによって形成された角部壁面１２、１３とから構成されている。
肩部２と上部胴部３ａの平側壁面１０が交差して形成される稜線上には、断面円弧状の傾斜リブ１４が配設されており、ウエスト部３ｃには、凹状の周溝１５が形成されている。
【００１３】
上部胴部３ａの平側壁面１０と隣合う角部壁面１２とが交差する稜線上、および下部胴部３ｂの平側壁面１１と隣合う角部壁面１３とが交差する稜線上には、それぞれ断面三角形状の縦リブ１６、１７が設けられている。
減圧吸収パネル９ａ、９ｂとして、従来公知の形状のものを適宜選択することができ、平側壁面１１の減圧吸収パネル９ｂの下方には、二つの横リブ１８ａ、１８ｂが設けられ、角部壁面１３の下端部には、角錐状の凹部１９が設けられている。
底部４は、接地端２０と、上方に湾曲しリブ２１を設けた底壁２２とからなっている。
【００１４】
次に、本実施例のボトルの作用効果について説明する。
角部壁面１２、１３は、ボトルの柱部を形成するものであり、また他のボトルと接触しやすい外周壁面である。
角部壁面１２、および角部壁面１３の両側には、それぞれ縦リブ１６、縦リブ１７が設けられているので、角部壁面１２、１３、および平側壁面１０、１１の側縁が補強され、ボトル自体の座屈強度が増加される。
【００１５】
また、搬送ラインや輸送中において、ボトル同士が接触し、ボトルの角部が衝突しても、傾斜リブ１４や縦リブ１６、１７によって肩部２と平側壁面１０が交差する稜線部分や、角部壁面１２、１３と平側壁面１０、１１が交差する稜線部分の変形を阻止することができる。
【００１６】
さらにまた、角部壁面、平側壁面が弾性限界を超えて凹部や折れ目を作るように変形しても、傾斜リブ１４、縦リブ１６、１７の復元によって、壁面は変形前の状態に戻され、ボトル自体の外観は変えられない。
【００１７】
前記実施例では、四面体の角形ボトルについて説明したが、ボトル胴部が、五面体、六面体、七面体等の多角形ボトルであってもよい。
【実施例２】
【００１８】
次に、八面の減圧吸収パネルを配設した薄肉の円形ボトルに係る実施例について説明する。
図５において、Ａａは円形ボトルであり、口部３０と肩部３１、胴部３２と底部３３とから構成されており、ＰＥ、ＰＥＴ樹脂等を素材樹脂として２軸延伸ブロー成形されている。
【００１９】
図５、６に示すように、胴部３２と肩部３１との境目、胴部３２と底部３３の境目には、それぞれ横リブ３４、３５が配設されている。
胴部３２は、円弧壁面３６と、該円弧壁面３６の両側縁に連設された傾斜壁３７を具えており、隣合う傾斜壁３７の内側縁には、断面円弧状のリブ３８を介して円弧状の減圧吸収パネル３９が連設されている。
円弧壁面３６と、傾斜壁３７とが交差する稜線には、上下方向に延びる断面三角形状の縦リブ４０が配設されている。
【００２０】
底部３３は、横リブ３５に続く底部周壁４１と、接地端４２、リブで補強された底壁４３とを具えている。  
【００２１】
次に、本実施例の作用効果について説明する。
本実施例では円弧壁面３６と傾斜壁３７は、ボトルの柱部を形成するものであり、また円弧壁面３６は他のボトルと接触しやすい外周壁面となっている。
円弧壁面３６と傾斜壁３７が交差する稜線上に縦リブ４０を配設することによって、ボトル自体の座屈強度が増大される。
【００２２】
また、搬送ラインや、輸送中においてボトル同士が接触し、ボトルの円弧壁面が衝突しても、縦リブ４０によって円弧壁面３６の両側縁の変形を阻止することができる。
さらにまた、円弧壁面が弾性限界を超えて凹部や折れ目を作るように変形しても、縦リブ４０の復元により、壁面は変形前の状態に戻され、ボトル自体の外観は変えられない。
したがって、本実施例は、第１実施例と同様の作用効果を得ることができる。
【００２３】
前記各実施例では、縦リブを断面三角形状の縦リブ１６．１７、４０としたが、断面円弧状であってもよく、断面形状については適宜選択できるのでとくに限定されない。
また傾斜リブ１４についても、断面円弧状としたがとくに限定されない。
【産業上の利用可能性】
【００２４】
本発明は、軸方向に延びる外周壁面と、該外周壁面と交差する壁面との間の稜線上に縦リブを配設することによって、角部を補強して胴壁の肉薄化を計ること、角部の変形を阻止することができるので、素材樹脂、角形、円形等の断面形状、成形方法などに関係なく合成樹脂製ボトルに広く利用可能である。
【図面の簡単な説明】
【００２５】
【図１】本発明第１実施例のボトルの正面図である。
【図２】ボトルの上面図である。
【図３】ボトルの底面図である。
【図４】胴部の横断形状を示す図で、（ａ）は図１のＡ−Ａ線における切断面図、（ｂ）は拡大説明図である。
【図５】第２実施例のボトルの正面図である。
【図６】ボトルの横断形状を示す図で、（ａ）は図５のＡ−Ａ線における切断面図、（ｂ）は拡大説明図である。
【符号の説明】
【００２６】
１、３０          口部
２、３１          肩部
３、３２          胴部
３ａ              上部胴部
３ｂ              下部胴部
４、３３          底部   
９ａ、９ｂ、３９    減圧吸収パネル
１０、１１        平側壁面
１２、１３        角部壁面
１４              傾斜リブ
１６、１７、４０  縦リブ
３６              円弧壁面
３７              傾斜壁
【図１】
2006327677.tif 000003
【図２】
2006327677.tif 000004
【図３】
2006327677.tif 000005
【図４】
2006327677.tif 000006
【図５】
2006327677.tif 000007
【図６】
2006327677.tif 000008